(57)【要約】【課題】従来提案されている「電力線通信の通信性能向上のための装置」を、コスト増加を招来することなく、停電状態にして取り付け工事を行うことなく、簡単に設置することを可能にする構造を備えた配電装置を得ること。【解決手段】配電装置８に配置されるブレーカ１（ａ，ｂ，ｃ，ｄ）には、電力線通信の通信性能を向上させる装置１２または増幅中継機能を有する電力線通信装置１１が有するプラグを挿入できる差込口６を備えたコンセント５（ａ，ｂ，ｃ，ｄ）が、差込口６を当該ブレーカのスイッチ４（ａ，ｂ，ｃ，ｄ）から建物内配電線接続端子３（ａ，ｂ，ｃ，ｄ）に至る電路に接続する形で配置されている。この構成によれば、装置１２，１１を、コスト増加を招来することなく、停電状態にして取り付け工事を行うことなく、簡単に設置することができる。【選択図】        図１
2008278015.tif 000002
【特許請求の範囲】
【請求項１】
商用電源と建物内の配電線との間を開閉するスイッチを備えるブレーカが配置される配電装置において、
前記ブレーカには、
電力線通信の通信性能を向上させる装置または増幅中継機能を有する電力線通信装置が有するプラグを挿入できる差込口を備えたコンセントが、前記差込口を当該ブレーカのスイッチから建物内配電線接続端子に至る電路に接続する形で配置されている、
ことを特徴とする配電装置。
【請求項２】
前記コンセントの差込口は、前記スイッチと前記建物内配電線接続端子との間の電線に接続されていることを特徴とする請求項１に記載の配電装置。
【請求項３】
前記コンセントの差込口は、前記ブレーカの建物内配電線接続端子に建物内配電線と共に接続できる端子を先端部に有する接続用導体を備えていることを特徴とする請求項１に記載の配電装置。
【請求項４】
前記コンセントの差込口は、前記ブレーカのスイッチと建物内配電線接続端子との間の電線に先端部を差し込む棒状接続用導体と、前記建物内配電線接続端子に接続されている建物内配電線の先端部を差し込む筒状接続用導体とを備えていることを特徴とする請求項１に記載の配電装置。
【請求項５】
前記コンセントの差込口は、前記スイッチから建物内配電線接続端子に至る電路に、電源周波数と高周波とを分離するハイパスフィルタを介して接続されていることを特徴とする請求項１に記載の配電装置。
【請求項６】
前記スイッチから建物内配電線接続端子に至る電路への前記コンセントの差込口の接続位置と、前記スイッチとの間に、商用電源側と建物内配電線側とを高周波的に分離するブロッキングフィルタが設けられていることを特徴とする請求項１に記載の配電装置。
【請求項７】
前記コンセントの差込口は、前記ブロッキングフィルタから建物内配電線接続端子に至る電路に、電源周波数と高周波とを分離するハイパスフィルタを介して接続されていることを特徴とする請求項６に記載の配電装置。
【請求項８】
前記コンセントの差込口は、電力線通信の通信性能を向上させる装置または増幅中継機能を有する電力線通信装置が有するプラグのみを挿入でき、それ以外の家電製品等が有するプラグは挿入できない形状になっていることを特徴とする請求項１〜７のいずれか一つに記載の配電装置。
【請求項９】
前記コンセントのフェースプレートには、誤接続を防止するマークまたは色による識別子が設置されていることを特徴とする請求項１〜７のいずれか一つに記載の配電装置。
【請求項１０】
誤接続を防止するマークまたは色による識別子が設置され、前記コンセントの差込口に装着できるキャップを備えていることを特徴とする請求項１〜７のいずれか一つに記載の配電装置。
【発明の詳細な説明】
【技術分野】
【０００１】
この発明は、建物の電路引込口に設置される分電盤等の配電装置に関し、特に、屋内配電線上に高周波を重畳する電力線通信を利用した宅内ＬＡＮ等の構築を可能にする配電装置に関するものである。
【背景技術】
【０００２】
単相三線式の配電線は、対地間電圧が１００Ｖである２つの電圧線（Ｌ１相、Ｌ２相）と、対地間電圧が０Ｖである１つの中性線（Ｎ相）とで構成され、Ｌ１相とＬ２相とは逆相であるので、Ｌ１相とＬ２相との間は２００Ｖになる。一般家庭や事務所などで通常使用する１００Ｖコンセントや照明器具などの１００Ｖ機器は、Ｌ１相とＮ相、または、Ｌ２相とＮ相に接続され、エアコンやＩＨクッキングヒータなど２００Ｖを必要する機器用のコンセントは、Ｌ１相とＬ２相に接続されている。
【０００３】
一般家庭などの電路引込口に設置される配電装置は、上記のように、負荷を考慮して部屋や機器毎に配電線を振り分ける装置であり、非特許文献１に紹介されているように、家屋に引き込まれる３線の、Ｌ１相とＮ相とが接続されるＬ１相用ブレーカ、Ｌ２相とＮ相とが接続されるＬ２相用ブレーカなどが各種の態様で配置される構成である。
【０００４】
屋内配電線を情報伝送路として利用する場合、電力線通信用機器を１００Ｖコンセントに接続するが、上記のように、１００Ｖコンセントは、Ｌ１相に接続されるものと、Ｌ２相に接続されるものとがある。１００Ｖコンセントが接続される相は、同じ部屋であれば同じ相であるが、異なる部屋間では、異なる相となる場合がある。後者の場合は、Ｌ１相とＬ２相との間での電力線通信となるので、配電装置を経由することが必要になる。
【０００５】
しかし、従来の配電装置は、当該配電装置を経由したＬ１相とＬ２相との間での電力線通信を可能にする配慮がなされていないので、Ｌ１相とＬ２相との間での電力線通信が配電装置によって阻害され、高周波の減衰等が起こる。しかも、非特許文献１に紹介されているように、Ｌ１相とＬ２相との間での異相間通信は、同相間の通信に比べて信号の減衰が多い。
【０００６】
したがって、従来では、Ｌ１相とＬ２相との間での電力線通信を行う場合、通信性能が劣化したり、最悪の場合は通信ができなくなったりすることがあった。このように、従来の配電装置は、電力線通信を利用した宅内ＬＡＮ等の構築を困難にしている。
【０００７】
このＬ１相とＬ２相との間での通信性能の劣化に対する対策としては、配電装置上のＬ１相とＬ２相との間に、例えば、特許文献１にて提案されている「搬送波フィルタ」や、特許文献２にて提案されている「通信信号の周波数に対して低インピーダンスとなる負荷機器」を配置する方法が考えられる。
【０００８】
また、配電装置による通信性能の劣化に対する対策としては、例えば、特許文献３にて提案されている「高周波的な迂回路を形成する装置」でもって配電装置を迂回してＬ１相とＬ２相との間を高周波的に接続する方法が考えられる。
【０００９】
【特許文献１】特開２００２−３７３８１２号公報（図３）
【特許文献２】特開２００３−３２１５７号公報（図１）
【特許文献３】特開２００３−２３４６８１号公報（図１）
【非特許文献１】“家庭内配電線（電力線）による影響”インターネット＜ＵＲＬ：http://panasonic.co.jp/pcc/products/plc/kounyu.html＞
【発明の開示】
【発明が解決しようとする課題】
【００１０】
しかしながら、上記特許文献１〜３にて提案されている「電力線通信の通信性能向上のための装置」を既設の配電装置に適用する場合、元々、配置できる構成になっていないので、従来技術搭載のために、ブレーカのスイッチをオフ操作した停電の状態で取り付け工事を行うことが必要になる。これだと、コンセントに差し込むだけをコンセプトとしている電力線通信の利便性を損なうことになる。
【００１１】
また、予め配電装置に、上記特許文献１〜３にて提案されている「電力線通信の通信性能向上のための装置」を搭載しておくことも考えられるが、そうすると配電装置のコスト増加が発生する。
【００１２】
加えて、電力線通信を積極的に利用するユーザでない限り、新築時でも、従来技術搭載の配電装置が選択される可能性は少ない。
【００１３】
この発明は、上記に鑑みてなされたものであり、従来提案されている電力線通信の通信性能向上のための装置を、コスト増加を招来することなく、停電状態にして取り付け工事を行うまでもことなく、簡単に設置することを可能にする構造を備えた配電装置を得ることを目的とする。
【課題を解決するための手段】
【００１４】
上述した目的を達成するために、この発明は、商用電源と建物内の配電線との間を開閉するスイッチを備えるブレーカが配置される配電装置において、前記ブレーカには、電力線通信の通信性能を向上させる装置または増幅中継機能を有する電力線通信装置が有するプラグを挿入できる差込口を備えたコンセントが、前記差込口を当該ブレーカのスイッチから建物内配電線接続端子に至る電路に接続する形で配置されていることを特徴とする。
【発明の効果】
【００１５】
この発明によれば、配電装置に、電力線通信の通信性能を向上させる装置または増幅中継機能を有する電力線通信装置を容易に接続できるコンセントを設けたので、電力線通信の通信性能を劣化させる可能性の高い配電装置に、電力線通信の通信性能向上のための装置や増幅中継機能を有する電力線通信装置を、停電状態にして取り付け工事を行うまでもことなく、簡単に設置することができ、配電装置を経由する電力線通信の通信性能の向上が図れ、また適用範囲の拡大が可能になるという効果を奏する。
【００１６】
また、配電装置に設けるコンセントは、差込口とそれを電路に接続する接続用導体とで構成されるので、予めコンセントを付加したブレーカを配置した配電装置であってもコストの増大は少ない。したがって、新築時に電力線通信を行う予定のないユーザに対してもコンセントを付加したブレーカを配置した配電装置を設置しておけば、必要になったときに、容易に電力線通信を利用して宅内ＬＡＮを構築できる保証をユーザに与えることができ、電力線通信を利用する場合は、停電を伴う設置工事を必要とせずに、容易に通信性能を向上させる装置や増幅中継機能を有する電力線通信装置を設置でき、任意のコンセント間で安定した電力線通信が行えるという効果を奏する。
【発明を実施するための最良の形態】
【００１７】
以下に図面を参照して、この発明にかかる配電装置の好適な実施の形態を詳細に説明する。
【００１８】
実施の形態１．
図１は、この発明の実施の形態１による配電装置の構成を示す外観概念図である。図１では、配電装置８に配置される４個のブレーカ１ａ，１ｂ，１ｃ，１ｄと商用電源である引込線９との関係が示されている。
【００１９】
図１において、ブレーカ１（ａ，ｂ，ｃ，ｄ）は、それぞれ同様の構成であって、基本的には、引込線９の３線のうちの２線が接続される電源側接続端子２（ａ，ｂ，ｃ，ｄ）と、屋内配電線１０（ａ，ｂ，ｃ，ｄ）が接続される機器側接続端子３（ａ，ｂ，ｃ，ｄ）と、電源側接続端子２（ａ，ｂ，ｃ，ｄ）と機器側接続端子３（ａ，ｂ，ｃ，ｄ）との間の電路を開閉するスイッチ４（ａ，ｂ，ｃ，ｄ）とを備えている。つまり、図１では明示してないが、電源側接続端子２（ａ，ｂ，ｃ，ｄ）とスイッチ４（ａ，ｂ，ｃ，ｄ）との間は電線で接続され、機器側接続端子３（ａ，ｂ，ｃ，ｄ）とスイッチ４（ａ，ｂ，ｃ，ｄ）との間は電線で接続されている。
【００２０】
この実施の形態１では、このような構成のブレーカ１（ａ，ｂ，ｃ，ｄ）において、コンセント５（ａ，ｂ，ｃ，ｄ）が、その差込口６を機器側接続端子３（ａ，ｂ，ｃ，ｄ）とスイッチ４（ａ，ｂ，ｃ，ｄ）との間の電線に接続する形で配置されている。コンセント５（ａ，ｂ，ｃ，ｄ）の取り付け配置態様は、後述するように各種あるが、図１では、コンセント５（ａ，ｂ，ｃ，ｄ）は、機器側接続端子３（ａ，ｂ，ｃ，ｄ）とスイッチ４（ａ，ｂ，ｃ，ｄ）との間の電線上を跨ぐように配置されている。コンセント５（ａ，ｂ，ｃ，ｄ）の差込口６は、増幅中継機能を有する電力線通信装置（以降、「ＰＬＣモデム」と記す）１１が有するプラグや、電力線通信の通信性能を向上させる装置１２が有するプラグを挿入できるようになっている。
【００２１】
つぎに、引込線９の３線のうち、符号９ａはＬ１相電圧線であり、符号９ｂは中性線であり、符号９ｃはＬ２相電圧線である。
【００２２】
ブレーカ１ａの電源側接続端子２ａは、Ｌ１相電圧線９ａと中性線９ｂとに接続されている。つまり、機器側接続端子３ａに接続される屋内配電線１０ａは、１００Ｖの配電線である。
【００２３】
ブレーカ１ｂの電源側接続端子２ｂは、Ｌ１相電圧線９ａとＬ２相電圧線９ｃとに接続されている。つまり、機器側接続端子３ｂに接続される屋内配電線１０ｂは、２００Ｖの配電線である。
【００２４】
ブレーカ１ｃの電源側接続端子２ｃは、Ｌ２相電圧線９ｃと中性線９ｂとに接続されている。つまり、機器側接続端子３ｃに接続される屋内配電線１０ｃは、１００Ｖの配電線である。
【００２５】
ブレーカ１ｄの電源側接続端子２ｄは、Ｌ１相電圧線９ａとＬ２相電圧線９ｃとに接続されている。つまり、機器側接続端子３ｄに接続される屋内配電線１０ｄは、２００Ｖの配電線である。
【００２６】
ブレーカ１（ａ，ｂ，ｃ，ｄ）と引込線９との接続関係がこのようになっている場合、屋内配電線１０（ａ，ｂ，ｃ，ｄ）を情報伝送路とする図示しない電力線通信用機器間の通信接続関係は、次のようになる。
【００２７】
ブレーカ１ａに接続される屋内配電線１０ａと、ブレーカ１ｃに接続される屋内配電線１０ｃとは、共に１００Ｖの配電線路であるが、互いに異なる相の関係にある。したがって、屋内配電線１０ａに接続される図示しない電力線通信用機器と、屋内配電線１０ｃに接続される図示しない電力線通信用機器とが通信を行う場合、異相間接続となり、しかもブレーカ１ａ，１ｃおよび引込線９が介在するので、通信性能の劣化、または、通信が成立しない状況が考えられる。
【００２８】
一方、ブレーカ１ｂに接続される屋内配電線１０ｂと、ブレーカ１ｄに接続される屋内配電線１０ｄとは、共に２００Ｖの配電線路であるので、屋内配電線１０ｂに接続される図示しない電力線通信用機器と、屋内配電線１０ｄに接続される図示しない電力線通信用機器とが通信を行う場合、同相間接続となる。
【００２９】
しかし、ブレーカ１ｂ，１ｄの電源側接続端子２ｂ、２ｄ間が接続されていて、屋内配電線１０ｂと屋内配電線１０ｄとの間の電路は繋がっているが、高周波信号の引込線９側への漏れ出しがあり、ブレーカ１ｂ，１ｄ自体での高周波信号の減衰もあるので、それらが大きいと問題が起こる。
【００３０】
また、屋内配電線１０ａに接続される図示しない電力線通信用機器と、屋内配電線１０ｂまたは屋内配電線１０ｄに接続される図示しない電力線通信用機器とが通信を行う場合は、異相間接続となり、しかも、ブレーカ１ａ，１ｂ，１ｄおよび引込線９が介在するので、通信性能の劣化、または、通信が成立しない状況が考えられる。
【００３１】
同様に、屋内配電線１０ｃに接続される図示しない電力線通信用機器と、屋内配電線１０ｂまたは屋内配電線１０ｄに接続される図示しない電力線通信用機器とが通信を行う場合は、異相間接続となり、しかも、ブレーカ１ｃ，１ｂ，１ｄおよび引込線９が介在するので、通信性能の劣化、または、通信が成立しない状況が考えられる。
【００３２】
これらの問題は、次のようにして簡単に解決することができる。まず、異相間接続時の問題に対しては、従来技術による「通信性能を向上させる装置」１２（以降、単に「装置１２」と記す）を用いる。なお、ここでは、装置１２は、一例として、特許文献３にて提案されている「高周波的な迂回路を形成する装置」を取り上げて説明する。
【００３３】
例えば、屋内配電線１０ａに接続される図示しない電力線通信用機器と、屋内配電線１０ｃに接続される図示しない電力線通信用機器とが通信を行う場合は、装置１２の一方のプラグをブレーカ１ａに付加してあるコンセント５ａに差し込み、他方のプラグをブレーカ１ｃに付加してあるコンセント５ｃに差し込むだけで、ブレーカ１ａ，１ｃを高周波的に迂回する回路を容易に形成することができる。上記したその他の異相間接続においても同様に、介在する２つのブレーカにそれぞれ付加したコンセント５間に装置１２を取り付けるだけでよい。
【００３４】
特許文献１にて提案されている「搬送波フィルタ」や、特許文献２にて提案されている「通信信号の周波数に対して低インピーダンスとなる負荷機器」も同様に用いて迂回路を形成することができる。
【００３５】
このように、高周波的な迂回路を容易に形成することができるので、異相間接続時における電力線通信の性能向上や通信の安定化を容易に実現することができる。
【００３６】
次に、同相間接続時に、ブレーカでの減衰が大きい場合の問題に対しては、装置１２は増幅機能を持たないので、中継増幅機能を有するＰＬＣモデム１１を用いる。図１の例では、屋内配電線１０ｂに接続される図示しない電力線通信用機器と、屋内配電線１０ｄに接続される図示しない電力線通信用機器とが通信を行う場合に、同相間接続となる。
【００３７】
この場合に、ＰＬＣモデム１１が、時分割の中継機能を備えるものであれば、そのＰＬＣモデム１１をブレーカ１ｂのコンセント５ｂとブレーカ１ｄのコンセント５ｄとのいずれか一方のコンセントに接続するだけでよい。
【００３８】
また、ＰＬＣモデム１１が、周波数分割の中継機能を備えるものであれば、そのＰＬＣモデム１１をブレーカ１ｂのコンセント５ｂとブレーカ１ｄのコンセント５ｄとに、異なる周波数帯の電力線通信を割り当てるように接続すればよい。
【００３９】
このように、同相接続時にブレーカでの減衰が大きい場合でもそれを補うことのできる増幅中継機能を有するＰＬＣモデム１１を容易に設置することができるので、電力線通信の性能向上や通信の安定化を容易に実現することができる。
【００４０】
以上のように、この実施の形態１によれば、従来技術で示した通信性能を向上させる装置または増幅中継機能を有する電力線通信装置を容易に接続可能なコンセントを配電装置内の各ブレーカ上の配電線路に接続して設けたので、電力線通信の性能劣化を招く可能性が高い配電装置に、停電を伴う設置工事を必要とせずに、容易に通信性能を向上させる装置や増幅中継機能を有する電力線通信装置を設置でき、電力線通信の性能向上が図れ、また、宅内ＬＡＮの構築など適用範囲の拡大を可能にすることができる。
【００４１】
以下、ブレーカに付加するコンセントの具体的な各種の構成例を実施の形態として説明する。なお、以降では、ブレーカ１（ａ，ｂ，ｃ，ｄ）はブレーカ１と表記する。電源側接続端子２（ａ，ｂ，ｃ，ｄ）は電源側接続端子２と表記する。機器側接続端子３（ａ，ｂ，ｃ，ｄ）は機器側接続端子３と表記する。
【００４２】
実施の形態２．
図２は、この発明の実施の形態２として、配電装置内に配置されるブレーカに取り付けるコンセント（その１）を説明する外観概念図である。図２では、ブレーカに予め取り付けるコンセントの構成例が示されている。すなわち、コンセントを内蔵した配電装置の構成例が示されている。
【００４３】
この実施の形態２では、図１に示したコンセント５（ａ，ｂ，ｃ，ｄ）を、単に、コンセント５と表記するが、図２に示すように、コンセント５の各差込口６には、スイッチ４と機器側接続端子３との間の２つの電線に接続できる接続用導体７を設けてあり、その差込口６に設けた接続用導体７を、スイッチ４と機器側接続端子３との間の２つの電線に半田付けなどで接続することで、ブレーカ１にコンセント５が、スイッチ４と機器側接続端子３との間の電路を跨ぐように配置されている。
【００４４】
この構成によれば、ブレーカ１に、前もってコンセント５を取り付けるが、コンセント５は、増幅中継機能を有する電力線通信装置や従来技術で示した電力線通信の通信性能を向上させる装置が有するプラグを差し込む差込口６と、この差込口６をスイッチ４と機器側接続端子３との間の配電線路に接続する接続用導体７とで構成されるので、予めコンセント５を付加したブレーカを配置した配電装置であってもコストの増大は少ない。
【００４５】
したがって、実施の形態２によれば、新築時に電力線通信を行う予定のないユーザに対しても、実施の形態２によるコンセントを付加したブレーカを配置した配電装置を設置しておけば、必要になったときに、容易に電力線通信を利用して宅内ＬＡＮを構築できる保証をユーザに与えることができ、電力線通信を利用する場合は、停電を伴う設置工事を必要とせずに、容易に通信性能を向上させる装置や増幅中継機能を有する電力線通信装置を設置でき、任意のコンセント間で安定した電力線通信が行える。
【００４６】
実施の形態３．
図３は、この発明の実施の形態３として、配電装置内に配置されるブレーカに取り付けるコンセント（その２）を説明する外観概念図である。図３では、既設の配電装置に取り付けるコンセントの構成例（その１）が示されている。
【００４７】
図３において、コンセント１４の一対の差込口６には、所定長の接続用導体１５が設けられ、この接続用導体１５の先端には、機器側接続端子３のネジ穴の周囲を囲む接続端子１６が設けられている。
【００４８】
この構成によれば、コンセント１４は、既設の配電装置に屋内配電線と共に機器側接続端子３に取り付けることができる。
【００４９】
したがって、この実施の形態３によれば、従来の配電装置を設置して使用しているユーザが、その後、電力線通信の性能向上や宅内ＬＡＮの構築などを望んでいる場合に、少ないコンセント取り付け費用で簡単にユーザの希望に応えることができる。
【００５０】
実施の形態４．
図４は、この発明の実施の形態４として、配電装置内に配置されるブレーカに取り付けるコンセント（その３）を説明する外観概念図である。図４では、既設の配電装置に取り付けるコンセントの構成例（その２）が示されている。
【００５１】
図４において、コンセント１８の一対の差込口６は、長手方向一端側に所定長の棒状接続用導体１９ａが設けられ、長手方向他端側に所定長の筒状接続用導体１９ｂが設けられている。
【００５２】
棒状接続用導体１９ａは、その先端をスイッチ４と機器側接続端子３との間において被覆を剥いだ電線に差し込み固定する。また、筒状接続用導体１９ｂは、その筒内に機器側接続端子３に接続されている屋内配電線の先端を差し込み固定するようになっている。
【００５３】
この構成によれば、コンセント１８は、既設の配電装置における機器側接続端子３の近傍において、屋内配電線に取り付けることができる。
【００５４】
したがって、この実施の形態４によれば、実施の形態３と同様に、従来の配電装置を設置して使用しているユーザが、その後、電力線通信の性能向上や宅内ＬＡＮの構築などを望んでいる場合に、少ないコンセント取り付け費用で簡単にユーザの希望に応えることができる。
【００５５】
実施の形態５．
図５は、この発明の実施の形態５として、配電装置内に配置されるブレーカに取り付けるコンセント（その４）を説明する外観概念図である。図５では、誤接続を防止するコンセントの構成例が示されている。これには、３つの態様がある。
【００５６】
第１の態様は、コンセント２２に設ける一対の差込口の形状を、一般の家電製品が有する電源プラグを挿入できず、ＰＬＣモデム１１や装置１２が有するプラグのみを挿入できる形状にすることである。
【００５７】
図５では、一例として、一方の差込口２３ａは長四角形状であるが、他方の差込口２３ｂが２つの長四角を交差させた形状である場合が示されている。この場合には、ＰＬＣモデム１１や装置１２が有するプラグは、図５に示す差込口２３ａ，２３ｂに挿入できる形状になっている。
【００５８】
第２の態様は、コンセント２２のフェースプレート２４に、電力線通信を行うためのコンセントである旨を示す色やマークによる識別子を配置することである。
【００５９】
第３の態様は、図示してないが、一般の家電製品が有する電源プラグも挿入できる図２等に示したコンセント５の差込口６に挿入できるキャップを用意し、そのキャップに、電力線通信を行うためのコンセントである旨を示す色やマークによる識別子を配置することである。
【００６０】
この実施の形態５によれば、配電装置に設けたこの実施の形態１〜４によるコンセントに、一般の家電製品が接続される誤接続を防止できるので、一般の家電製品が接続されてしまうことによる電力線通信の性能劣化を避けることができ、電力線通信の性能向上や通信の安定化をより確実に実現することができる。
【００６１】
実施の形態６．
図６は、この発明の実施の形態６として、配電装置内に配置されるブレーカにコンセントと共に取り付けるフィルタを説明する外観概念図である。なお、図６では、図１（実施の形態１）に示した構成要素と同一ないしは同等である構成要素には同一の符号が付されている。ここでは、適宜、図１を参照して、この実施の形態６に関わる部分を中心に説明する。
【００６２】
図６において、ブレーカ２６には、ＰＬＣモデム１１や装置１２を上記のように接続するコンセント２７が配置されるが、その他に、ハイパスフィルタ２８とブロッキングフィルタ２９とが配置されている。
【００６３】
ブロッキングフィルタ２９は、スイッチ４と機器側接続端子３との間を接続する配電線に介在して設けられている。また、ハイパスフィルタ２８は、一端がコンセント２７の差込口６に接続され、他端がブロッキングフィルタ２９と機器側接続端子３との間を接続する配電線に接続されている。
【００６４】
ハイパスフィルタ２８は、電源周波数と高周波とを分離し、機器側接続端子３に接続される屋内配電線上の高周波信号をコンセント２７側に取り出し、コンセント２７側に接続されたＰＬＣモデム１１や装置１２からの高周波信号を機器側接続端子３に接続される屋内配電線上に送出する。
【００６５】
この構成によれば、図１において、コンセント５ａ，５ｄ間の接続を、装置１２に代えて、電力線通信のための通信線として伝送特性の良い電線を用いても同等の効果が得られる。
【００６６】
また、ブロッキングフィルタ２９は、商用電源である引込線９と機器側接続端子３側の屋内配電線との間を高周波的に分離する。すなわち、電源側接続端子２に接続される引込線９からスイッチ４に流入するノイズが機器側接続端子３側に流出するのを遮断し、機器側接続端子３側での高周波信号の伝送特性を良好する。また、機器側接続端子３側の屋内配電線上の高周波信号が引込線９側に流れ出すのを阻止する。
【００６７】
このように、実施の形態６によれば、予め、スイッチ４から機器側接続端子３に至る電路にブロッキングフィルタ２９を介在させ、ブロッキングフィルタ２９から機器側接続端子３に至る電路とコンセント２７との間にハイパスフィルタ２８を設ける場合は、一層容易に、電力線通信の性能向上や通信の安定化を実現することができる。
【００６８】
なお、ハイパスフィルタ２８とブロッキングフィルタ２９を同時に設置する例を示したが、いずれか一方をコンセント２７と共に用いる構成でもよい。また、コンセント２７には、実施の形態５にて説明した誤接続を防止する措置を同様に講ずることができることは言うまでもない。
【産業上の利用可能性】
【００６９】
以上のように、この発明にかかる配電装置は、従来提案されている電力線通信の通信性能向上のための装置を、コスト増加を招来することなく、停電状態にして取り付け工事を行うまでもことなく、簡単に設置して電力線通信の通信性能の向上や電力線通信を利用した宅内ＬＡＮの構築などを容易に実現するのに有用である。
【図面の簡単な説明】
【００７０】
【図１】この発明の実施の形態１による配電装置の構成を示す外観概念図である。
【図２】この発明の実施の形態２として、配電装置内に配置されるブレーカに取り付けるコンセント（その１）を説明する外観概念図である。
【図３】この発明の実施の形態３として、配電装置内に配置されるブレーカに取り付けるコンセント（その２）を説明する外観概念図である。
【図４】この発明の実施の形態４として、配電装置内に配置されるブレーカに取り付けるコンセント（その３）を説明する外観概念図である。
【図５】この発明の実施の形態５として、配電装置内に配置されるブレーカに取り付けるコンセント（その４）を説明する外観概念図である。
【図６】この発明の実施の形態６として、配電装置内に配置されるブレーカにコンセントと共に取り付けるフィルタを説明する外観概念図である。
【符号の説明】
【００７１】
１，１ａ，１ｂ，１ｃ，１ｄ  ブレーカ
２，２ａ，２ｂ，２ｃ，２ｄ  電源側接続端子
３，３ａ，３ｂ，３ｃ，３ｄ  機器側接続端子
４，４ａ，４ｂ，４ｃ，４ｄ  スイッチ
５，５ａ，５ｂ，５ｃ，５ｄ  コンセント
６  プラグ差込口
７  接続用導体
８  配電装置
９  引込線（商用電源）
９ａ  Ｌ１相電圧線
９ｂ  中性線
９ｃ  Ｌ２相電圧線
１０ａ，１０ｂ，１０ｃ，１０ｄ  屋内配電線
１１  中継増幅機能を有する電力線通信装置（ＰＬＣモデム）
１２  従来技術による通信性能を向上させる装置
１４  コンセント
１５  接続用導体
１６  接続端子
１８  コンセント
１９ａ  棒状接続用導体
１９ｂ  筒状接続用導体
２２  コンセント
２３ａ，２３ｂ  プラグ差込口
２４  フェースプレート
２６  ブレーカ
２７  コンセント
２８  バイパスフィルタ
２９  ブロッキングフィルタ
【図１】
2008278015.tif 000003
【図２】
2008278015.tif 000004
【図３】
2008278015.tif 000005
【図４】
2008278015.tif 000006
【図５】
2008278015.tif 000007
【図６】
2008278015.tif 000008